【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
燃料電池カソード液中のレドックス触媒及び／又はメディエーターとしての下記式（Ｉ）の化合物の使用：
【化１】
2013501337.tif 000001
（式中、Ｘは水素、及びハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせを含む官能基から選択され、
Ｒ１〜Ｒ８は独立して、水素、ハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせから選択され、
Ｒ１とＸ、及び／又は、Ｒ５とＸと、は共に任意で置換された環構造を形成していてもよく、
Ｒ１とＲ２、及び／又は、Ｒ２とＲ３、及び／又は、Ｒ３とＲ４、及び／又は、Ｒ４とＲ８、及び／又は、Ｒ８とＲ７、及び／又は、Ｒ７とＲ６、及び／又は、Ｒ６とＲ５、は共に任意で置換された環構造を形成していてもよく、
（Ｌ）は、該構造の２つの隣接する芳香環の間の連結結合又は連結基の、任意の存在を表し、存在する場合、Ｒ４及びＲ８の一方又は両方と共に任意で置換された環構造を形成していてもよく、
該構造の少なくとも１つの置換基が電荷変更置換基である）。
【請求項２】
前記式（Ｉ）の化合物が、その還元形態において非中性である、請求項１に記載の使用。
【請求項３】
前記式（Ｉ）の化合物が、その非還元形態において非中性である、請求項１又は２に記載の使用。
【請求項４】
前記式（Ｉ）の化合物が極性溶媒に可溶である、請求項１〜３のいずれか一項に記載の使用。
【請求項５】
前記式（Ｉ）の化合物が水性溶媒に可溶である、請求項４に記載の使用。
【請求項６】
前記式（Ｉ）の化合物において、（Ｌ）が存在し、連結結合、ｓｐ２混成炭素若しくはｓｐ３混成炭素、又はＯ、Ｎ、Ｓ、イミノ、スルホニル、スルフィニル、アルキルアミノ、プロトン化アルキルアミノ、第四級アルキルアンモニウム、カルボニル、エステル、エーテル、アミド、スルホンアミド、ホスホネート、ホスフェート、アルキルスルホニル、アルケニルスルホニル、アリールスルホニル、アルキルスルフィニル、アルケニルスルフィニル、アリールスルフィニル、アルキルチオ、アルケニルチオ、アリールチオ、オキシエステル、オキシアミド、アリール、シクロアルキル、ヘテロアリール、（Ｃ２〜Ｃ５）アルキル、（Ｃ２〜Ｃ５）アルケニル、（Ｃ２〜Ｃ５）アルキニル、又はアミノ酸から選択される、請求項１〜５のいずれか一項に記載の使用。
【請求項７】
前記式（Ｉ）の化合物が電子非局在化領域、任意で単一の芳香環を超えて広がる平面共役領域を含む、請求項１〜６のいずれか一項に記載の使用。
【請求項８】
前記式（Ｉ）の化合物が下記の化合物から選択される、請求項１〜７のいずれか一項に記載の使用。
【化２】
2013501337.tif 000002
【請求項９】
前記式（Ｉ）の化合物において、Ｘが下記式によって表される、請求項１〜８のいずれか一項に記載の使用：
【化３】
2013501337.tif 000003
（式中、Ｒ９〜Ｒ１３は独立して水素、及びハロゲン、ヒドロキシ、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスホン酸、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、アリールアミノ、アリールオキシ、ヘテロシクロアルキル、ヘテロアリール、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）又は式−ＣＯ−Ｗ−ＯＨ（式中、Ｗはアミノ酸である）を有するアミノ酸複合体を含む官能基、及び上述の官能基の１つ又は複数によって置換されたアルキル基、アルケニル基、アリール基、シクロアルキル基、アルカリール基、アルケンアリール基、アラルキル基、アラルケニル基から選択され、Ｒ９がＲ１と共に、及び／又は、Ｒ１３がＲ５と共に、好ましくはＯ、Ｎ、Ｓ、イミノ、スルホニル、スルフィニル、アルキルアミノ、プロトン化アルキルアミノ、第四級アルキルアンモニウム、カルボニル、エステル、エーテル、アミド、スルホンアミド、ホスホネート、ホスフェート、アルキルスルホニル、アルケニルスルホニル、アリールスルホニル、アルキルスルフィニル、アルケニルスルフィニル、アリールスルフィニル、アルキルチオ、アルケニルチオ、アリールチオ、オキシエステル、オキシアミド、アリール、シクロアルキル、ヘテロアリール、（Ｃ２〜Ｃ５）アルキル、（Ｃ２〜Ｃ５）アルケニル、（Ｃ２〜Ｃ５）アルキニル、又はアミノ酸から選択される連結基を形成していてもよく、（Ｓｐ）はスペーサー基の任意の存在を表す）。
【請求項１０】
前記式（Ｉ）の化合物において、スペーサー基が存在し、直鎖若しくは分岐鎖の任意で置換されたアルキル若しくはアルケニル、又は任意で置換されたアリール、シクロアルキル、アルカリール、アルケンアリール、アラルキル若しくはアラルケニル、又は任意で置換された複素環シクロアルキル、複素環アルカリール、複素環アルケンアリール、複素環アラルキル若しくは複素環アラルケニルから選択される、請求項９に記載の使用。
【請求項１１】
前記式（Ｉ）の化合物において、いずれか又は各々の官能基が、１つ又は複数の好適なスペーサー要素及び／又は更なる官能単位によって終端されているか、又はキャップされている、請求項１〜１０のいずれか一項に記載の使用。
【請求項１２】
前記好適なスペーサー単位（複数も可）及び／又は更なる官能単位（複数も可）が独立して、任意の炭化水素鎖が任意で分岐していてもよいアルキル、アルケニル、アリール、シクロアルキル、アルカリール、アルケンアリール、アラルキル、アラルケニル又は複素環単位から選択される、請求項１１に記載の使用。
【請求項１３】
Ｒ１〜Ｒ８のうち少なくとも１つ、及び存在する場合にはＲ９〜Ｒ１３のうち少なくとも１つが、−Ｆ、−ＣＨＯ、−ＣＯＣＨ３、−ＣＯＣＨ２ＣＨ３、−ＣＯＣＨ２ＣＨ２ＣＯＯＨ、−ＣＯＯＨ、−（ＣＯＯＨ）２、−ＮＨ２、−ＮＨ３＋、−Ｎ（ＣＨ３）２、−ＮＨ（ＣＨ３）２＋、−Ｎ（ＣＨ３）３＋、−Ｎ（ＣＨ２ＣＨ３）２、−ＮＨ（ＣＨ２ＣＨ３）＋、−Ｎ（ＣＨ２ＣＨ３）３＋、−ＣＨ２Ｎ（ＣＨ３）２、−ＣＨ２ＮＨ（ＣＨ３）２＋、−ＣＨ２Ｎ（ＣＨ３）３＋、−Ｎ−（ＰｈＮＨ３＋）２、−Ｎ−（ＰｈＣＨ２ＮＨ３＋）２、−Ｎ−（ＰｈＣ２Ｈ４ＮＨ３＋）２、−Ｎ−（ＰｈＳＯ３−）２、−Ｎ−（ＰｈＣＨ２ＳＯ３−）２、−Ｐｈ−Ｎ−（ＰｈＮＨ３＋）２、−Ｐｈ−Ｎ−（ＰｈＣＨ２ＮＨ３＋）２、−Ｐｈ−Ｎ−（ＰｈＣ２Ｈ４ＮＨ３＋）２、−Ｐｈ−Ｎ−（ＰｈＳＯ３−）２、−Ｐｈ−Ｎ−（ＰｈＣＨ２ＳＯ３−）２、−Ｐｈ−Ｎ−（ＰｈＣ２Ｈ４ＳＯ３−）２、−ＯＨ、−ＣＨ２ＯＨ、−ＣＨ（ＯＨ）ＣＨ３、−ＯＳＯ３−、−ＳＯ３−、−ＣＨ２ＳＯ３−、−ＣＨ２ＯＳＯ３−、−ＰＯ（ＯＨ）２、−ＯＰＯ（ＯＨ）２、−ＣＯ−Ｇｌｙ−ＯＨ、−ＣＯ−Ｇｌｕ−ＯＨあるいは−ＣＯ−Ａｓｐ−ＯＨを含む官能基、及び上述の官能基の１つ又は複数によって置換されたアルキル基、アルケニル基、アリール基、シクロアルキル基、アルカリール基、アルケンアリール基、アラルキル基、アラルケニル基から選択される、請求項１〜１２のいずれか一項に記載の使用。
【請求項１４】
前記式（Ｉ）の化合物が下記の化合物から選択される、請求項１〜１３のいずれか一項に記載の使用。
【化４】
2013501337.tif 000004
【請求項１５】
少なくとも下記式（Ｉ）の化合物を含む、レドックス燃料電池に使用されるカソード液。
下記式（Ｉ）の化合物の使用：
【化５】
2013501337.tif 000005
（式中、Ｘは水素、及びハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせを含む官能基から選択され、
Ｒ１〜Ｒ８は独立して、水素、ハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせから選択され、
Ｒ１とＸ、及び／又は、Ｒ５とＸと、は共に任意で置換された環構造を形成していてもよく、
Ｒ１とＲ２、及び／又は、Ｒ２とＲ３、及び／又は、Ｒ３とＲ４、及び／又は、Ｒ４とＲ８、及び／又は、Ｒ８とＲ７、及び／又は、Ｒ７とＲ６、及び／又は、Ｒ６とＲ５、は共に任意で置換された環構造を形成していてもよく、
（Ｌ）は、該構造の２つの隣接する芳香環の間の連結結合又は連結基の、任意の存在を表し、存在する場合、Ｒ４及びＲ８の一方又は両方と共に任意で置換された環構造を形成していてもよく、
該構造の少なくとも１つの置換基が電荷変更置換基である）。
【請求項１６】
レドックス触媒を更に含む、請求項１５に記載のカソード液。
【請求項１７】
前記レドックス触媒が、Ｎ供与体化合物及び／又はポリオキソメタレート種から選択される、請求項１６に記載のカソード液。
【請求項１８】
レドックス燃料電池であって、
イオン選択性高分子電解質膜によって隔てられたアノード及びカソードを備える膜電極接合体と、
前記膜電極接合体の前記アノードに隣接したアノード室と、
前記膜電極接合体の前記カソードに隣接したカソード室と、
該電池の前記アノード室に燃料を供給する手段と、
該電池に酸化剤を供給する手段と、
該電池の前記アノードと前記カソードとの間に電気回路を提供する手段と、
少なくとも１つの非揮発性カソード液成分を含むカソード液であって、下記式（Ｉ）のレドックスメディエーター種を含む、カソード液と
を備える、レドックス燃料電池。
【化６】
2013501337.tif 000006
（式中、Ｘは水素、及びハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせを含む官能基から選択され、
Ｒ１〜Ｒ８は独立して、水素、ハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせから選択され、
Ｒ１とＸ、及び／又は、Ｒ５とＸと、は共に任意で置換された環構造を形成していてもよく、
Ｒ１とＲ２、及び／又は、Ｒ２とＲ３、及び／又は、Ｒ３とＲ４、及び／又は、Ｒ４とＲ８、及び／又は、Ｒ８とＲ７、及び／又は、Ｒ７とＲ６、及び／又は、Ｒ６とＲ５、は共に任意で置換された環構造を形成していてもよく、
（Ｌ）は、該構造の２つの隣接する芳香環の間の連結結合又は連結基の、任意の存在を表し、存在する場合、Ｒ４及びＲ８の一方又は両方と共に任意で置換された環構造を形成していてもよく、
該構造の少なくとも１つの置換基が電荷変更置換基である）
【請求項１９】
各々の膜電極接合体がイオン選択性高分子電解質膜によって隔てられたアノード及びカソードを備える、複数の膜電極接合体の、スタックと、
各々の膜電極接合体の前記アノードに隣接したアノード室と、
各々の膜電極接合体の前記カソードに隣接したカソード室と、
前記電池の前記アノード室に燃料を供給する手段と、
前記電池に酸化剤を供給する手段と、
前記電池のそれぞれのアノードとカソードとの間に電気回路を提供する手段と、
少なくとも１つの非揮発性カソード液成分を含むカソード液であって、前記式（Ｉ）のレドックスメディエーター種を含む、カソード液と
を備える、請求項１８に記載のレドックス燃料電池。
【請求項２０】
イオン選択性高分子電解質膜によって隔てられたアノード及びカソードと、
前記電池のアノード領域に燃料を供給する手段と、
前記電池のカソード領域に酸化剤を供給する手段と、
前記アノードと前記カソードとの間に電気回路を提供する手段と、
前記カソードと流体連結して流れる、少なくとも１つの非揮発性カソード液成分を含むカソード液であって、前記電池の作動時に、前記カソードで少なくとも部分的に還元され、かかる還元の後、前記酸化剤との（任意で間接的な）反応によって前記カソードで少なくとも部分的に再生される式（Ｉ）の電子伝達メディエーター、及び該メディエーターの再生を触媒するレドックス触媒を含む、カソード液と
を備える、請求項１８又は１９に記載のレドックス燃料電池。
【請求項２１】
前記イオン選択性高分子電解質膜が、カチオン選択性及び／又はプロトン選択性である、請求項１８〜２０のいずれか一項に記載のレドックス燃料電池。
【請求項２２】
前記カソード液が酸性である、請求項２１に記載のレドックス燃料電池。
【請求項２３】
前記式（Ｉ）の化合物が、その酸化形態において非イオン性又はアニオン性である、請求項２１又は２２に記載のレドックス燃料電池。
【請求項２４】
前記イオン選択性高分子電解質膜が、アニオン選択性である、請求項１８〜２０のいずれか一項に記載のレドックス燃料電池。
【請求項２５】
前記カソード液がアルカリ性である、請求項２４に記載のレドックス燃料電池。
【請求項２６】
前記式（Ｉ）の化合物が、その還元形態において非イオン性又はアニオン性である、請求項２４に記載のレドックス燃料電池。
【請求項２７】
レドックス燃料電池を作動させる方法であって、
イオン選択性高分子電解質膜によって隔てられたアノード及びカソードを備える膜電極接合体を提供することと、
前記膜電極接合体の前記アノードに隣接したアノード室を提供することと、
前記膜電極接合体の前記カソードに隣接したカソード室を提供することと、
該電池の前記アノード室に燃料を供給することと、
該電池に酸化剤を供給することと、
該電池の前記アノードと前記カソードとの間に電気回路を提供することと、
少なくとも１つの非揮発性カソード液成分を含むカソード液であって、下記式（Ｉ）のレドックスメディエーター種を含む、カソード液を提供することと
を含む、レドックス燃料電池を作動させる方法。
【化７】
2013501337.tif 000007
（式中、Ｘは水素、及びハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせを含む官能基から選択され、
Ｒ１〜Ｒ８は独立して、水素、ハロゲン、ヒドロキシル、アミノ、プロトン化アミノ、イミノ、ニトロ、シアノ、アシル、アシルオキシ、スルフェート、スルホニル、スルフィニル、アルキルアミノ、プロトン化アルキルアミノ、第四級アルキルアンモニウム、カルボキシ、カルボン酸、エステル、エーテル、アミド、スルホネート、スルホン酸、スルホンアミド、ホスホン酸、ホスホネート、ホスフェート、アルキルスルホニル、アリールスルホニル、アルコキシカルボニル、アルキルスルフィニル、アリールスルフィニル、アルキルチオ、アリールチオ、アルキル、アルコキシ、オキシエステル、オキシアミド、アリール、ヒューズドアリール（ｆｕｓｅｄ‐ａｒｙｌ）、アリールアミノ、アリールオキシ、ヘテロシクロアルキル、ヘテロアリール、ヒューズドヘテロアリール（ｆｕｓｅｄ−ｈｅｔｅｒｏａｒｙｌ）、（Ｃ２〜Ｃ５）アルケニル、（Ｃ２〜Ｃ５）アルキニル、アジド、フェニルスルホニルオキシ（ｐｈｅｎｙｌｓｕｌｆｏｎｙｌｏｘｙ）、アミノ酸又はそれらの組み合わせから選択され、
Ｒ１とＸ、及び／又は、Ｒ５とＸと、は共に任意で置換された環構造を形成していてもよく、
Ｒ１とＲ２、及び／又は、Ｒ２とＲ３、及び／又は、Ｒ３とＲ４、及び／又は、Ｒ４とＲ８、及び／又は、Ｒ８とＲ７、及び／又は、Ｒ７とＲ６、及び／又は、Ｒ６とＲ５、は共に任意で置換された環構造を形成していてもよく、
（Ｌ）は、該構造の２つの隣接する芳香環の間の連結結合又は連結基の、任意の存在を表し、存在する場合、Ｒ４及びＲ８の一方又は両方と共に任意で置換された環構造を形成していてもよく、
該構造の少なくとも１つの置換基が電荷変更置換基である）